【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
キャリア構造（１１８）およびカバー（４００）から形成されるカートリッジ（１００、２００、２１００）を使用して、処理済み生体処理の測定を実施する方法であって、
前記カートリッジが回転軸（１０２）の周りで回転するように動作可能であり、
前記カートリッジが、少なくとも１つの流体（１１０、２０４）を含む少なくとも１つの流体リザーバ（１０８、２０２）を備える少なくとも１つの容器（１０６）をさらに備え、
前記カートリッジが前記少なくとも１つの容器の各々のためのキャビティ（１０４、１０４’）を備え、
前記少なくとも１つのキャビティが前記キャリア構造と前記カバーから形成され、
前記少なくとも１つの容器が前記キャビティ内で前記カートリッジの前記回転軸を中心として回転するように構成され、
前記少なくとも１つの容器が前記カートリッジに対して回転するように構成され、
前記少なくとも１つの流体リザーバの各々が穿孔可能シール（１１２）を備え、
前記キャビティが前記少なくとも１つの流体リザーバの各々のための少なくとも１つの穿孔構造（１１４）を備え、
前記少なくとも１つの穿孔構造が、前記カートリッジに対して前記少なくとも１つの容器が回転させられるときに前記穿孔可能シールを穿孔することにより前記シールを開けるように構成され、
前記少なくとも１つの容器が第１の摩擦要素（４１２）を備え、前記キャビティが第２の摩擦要素（４１４）を備え、
前記第１の摩擦要素が前記第２の摩擦要素に対合し、
前記第１の摩擦要素および前記第２の摩擦要素が、前記キャビティと前記少なくとも１つの容器との間で摩擦を起こすように構成され、
前記少なくとも１つの容器が、前記少なくとも１つの容器にトルクを加えるように動作可能である回転アクチュエータ（４０４）の第２の係合表面（４０８）に対合するように動作可能である第１の係合表面（４０６）を備え、
前記カートリッジが、生体試料を処理して処理済み生体試料とするための流体構造（１２０、２１１６、２１１７、２１１８、２１２０、２１２１、２１２２、２１２３、２１２４、２１２５、２１３０、２１３１、２１３２、２１３３、２１３４、２１３５）を備え、
前記流体構造が前記キャリア構造および前記カバーから形成され、
前記カートリッジが前記キャビティと前記流体構造との間にダクト（１１６）を備え、
前記ダクトが前記キャリア構造および前記カバーから形成され、
前記流体構造が前記キャリア構造内に位置し、
前記流体構造が前記処理済み生体試料の測定を可能にするための測定構造（２１１９、２２１０）を備え、
前記流体構造が前記生体試料を受け取るように構成され、
前記方法が、
前記生体試料を前記流体構造の中に配置するステップ（２３００）と、
前記キャビティと前記少なくとも１つの容器との間の摩擦に打ち勝ち、前記カートリッジの前記回転軸の周りで前記カートリッジに対して前記少なくとも１つの容器を回転させて、前記穿孔可能シールを開けることを目的として、前記回転アクチュエータを使用して前記少なくとも１つの容器にトルクを加えるステップ（２３０２）であって、前記カートリッジに対して前記少なくとも１つの容器を回転させることにより、前記少なくとも１つの穿孔構造が前記穿孔可能シールを穿孔することにより前記シールが開けられる、ステップ（２３０２）と、
前記流体構造を使用して前記生体試料を処理して前記処理済み生体試料とするように、前記カートリッジの回転速度を制御するステップ（２３０４）と、
少なくとも１つの流体が前記ダクトおよび前記流体構造の少なくとも一部分を通過させられるように、前記カートリッジの回転速度を制御するステップ（２３０６）であって、前記キャビティと前記少なくとも１つの容器との間の摩擦により、前記少なくとも１つの容器が前記カートリッジと同じ速度で前記軸の前記回転軸の周りで回転する、ステップ（２３０６）と、
測定システムを使用して、前記測定構造を介して測定を実施するステップ（２３０８）と、
を含む方法。
【請求項２】
自動分析器（２２００）のためのカートリッジ（１００、２００、２１００）であって、
前記カートリッジがキャリア構造（１１８）およびカバー（４００）から形成され、
前記カートリッジが回転軸（１０２）の周りで回転するように動作可能であり、
前記カートリッジが、少なくとも１つの流体（１１０、２０４）を含む少なくとも１つの流体リザーバ（１０８、２０２）を備える少なくとも１つの容器（１０６）をさらに備え、
前記カートリッジが前記少なくとも１つのカートリッジの各々のためのキャビティ（１０４、１０４’）を備え、
前記少なくとも１つのキャビティが前記キャリア構造と前記カバーから形成され、
前記少なくとも１つの容器が前記キャビティ内で前記カートリッジの前記回転軸を中心として回転するように構成され、
前記少なくとも１つの容器が前記カートリッジに対して回転するように構成され、
前記少なくとも１つの流体リザーバの各々が穿孔可能シール（１１２）を備え、
前記キャビティが前記少なくとも１つの流体リザーバの各々のための少なくとも１つの穿孔構造（１１４）を備え、
前記少なくとも１つの穿孔構造が、前記カートリッジに対して前記少なくとも１つの容器が回転させられるときに前記穿孔可能シールを穿孔することにより前記シールを開けるように構成され、
前記少なくとも１つの容器が第１の摩擦要素（４１２）を備え、前記キャビティが第２の摩擦要素（４１４）を備え、
前記第１の摩擦要素が前記第２の摩擦要素に対合し、
前記第１の摩擦要素および前記第２の摩擦要素が、前記キャビティと前記少なくとも１つの容器との間で摩擦を起こすように構成され、
前記少なくとも１つの容器が、前記少なくとも１つの容器にトルクを加えるように動作可能である回転アクチュエータの第２の係合表面（４０８）に対合するように動作可能である第１の係合表面（４０６）を備え、
前記カートリッジが、生体試料を処理して処理済み生体試料とするための流体構造（１２０、２１１６、２１１７、２１１８、２１２０、２１２１、２１２２、２１２３、２１２４、２１２５、２１３０、２１３１、２１３２、２１３３、２１３４、２１３５）を備え、
前記流体構造が前記キャリア構造および前記カバーから形成され、
前記流体構造が前記キャリア構造内に位置し、
前記カートリッジが前記キャビティと前記流体構造との間にダクト（１１６）を備え、
前記ダクトが前記キャリア構造および前記カバーの中に形成され、
前記流体構造が前記処理済み生体試料の測定を可能にするための測定構造（２２１９、２２１０）を備え、
前記流体構造が前記生体試料を受け取るように構成される、カートリッジ（１００、２００、２１００）。
【請求項３】
前記カートリッジが複数の流体リザーバ（１０８、２０２）を備える、請求項２に記載のカートリッジ。
【請求項４】
前記複数の流体リザーバが、前記カートリッジに対しての前記少なくとも１つの容器の異なる角度位置において開けられるように動作可能である、請求項３に記載のカートリッジ。
【請求項５】
前記少なくとも１つの容器が複数の表面（１２０２、１２０４）を有し、
前記複数の流体リザーバの各々のための前記穿孔可能シールが前記複数の表面のうちの２つ以上の表面上に分布される、請求項３または４に記載のチャンバ。
【請求項６】
前記第１の摩擦要素および前記第２の摩擦要素が、粗い表面、接着特性を有する表面、一連の突起部、適合する正弦波状の表面、圧入構造、分離構造、および、ラチェット構造、のうちの任意の１つを備える、請求項２から５までのいずれか一項に記載のカートリッジ。
【請求項７】
前記少なくとも１つの容器のうちの１つが中央に位置する容器（１０４）であり、
前記回転軸が前記中央に位置する容器を通過する、請求項２から６までのいずれか一項に記載のカートリッジ。
【請求項８】
前記少なくとも１つの容器のうちの１つまたは複数の容器が前記キャビティ内で摺動するように構成され、
前記少なくとも１つの容器のうちの前記１つまたは複数の容器が前記キャビティ内で摺動することにより前記カートリッジの前記回転軸を中心として回転するように構成される、請求項２から７までのいずれか一項に記載のカートリッジ。
【請求項９】
前記キャリア構造がディスク状部分を備え、
前記ディスク状部分が円形プロファイルを有し、
前記円形プロファイルが中心を有し、
前記回転軸が前記中心を通過する、請求項２から８までのいずれか一項に記載のカートリッジ。
【請求項１０】
前記カートリッジが開口部（４０２）を備え、
前記少なくとも１つの容器が前記開口部を通って前記カートリッジに対して回転可能に作動するように動作可能であり、
前記開口部が前記第１の係合表面を露出し、
前記第１の係合表面および前記第２の係合表面が機械的に対合するように構成される、請求項９に記載のカートリッジ。
【請求項１１】
前記開口部がカバー層を用いて密閉される、請求項１０に記載のカートリッジ。
【請求項１２】
前記第１の係合表面および前記第２の係合表面が磁気的に対合するように構成される、請求項２から９までのいずれか一項に記載のカートリッジ。
【請求項１３】
前記少なくとも１つの容器が複数の容器である、請求項２から１２までのいずれか一項に記載のカートリッジ。
【請求項１４】
前記測定構造が透明構造（２１１９）であり、および／または、２つ以上の電極を備える、請求項２から１３までのいずれか一項に記載のカートリッジ。
【請求項１５】
前記少なくとも１つの穿孔構造が前記キャリア構造から形成される、請求項２から１４までのいずれか一項に記載のカートリッジ。
【請求項１６】
前記少なくとも１つの容器が完全に前記カバーおよび前記キャリア構造の中にある、請求項２から１５までのいずれか一項に記載のカートリッジ。
【請求項１７】
前記キャリア構造がディスク形状である、請求項２から１６までのいずれか一項に記載のカートリッジ。
【請求項１８】
前記キャビティが第１の平坦表面を有し、
前記容器が第２の平坦表面（４２０）を有する、請求項２から１７までのいずれか一項に記載のカートリッジ。
【請求項１９】
前記第１の摩擦要素が前記第１の平坦表面上に形成され、
前記第２の摩擦要素が前記第２の平坦表面上に形成され、
前記第１の摩擦要素および前記第２の摩擦要素が、前記回転軸を中心として前記少なくとも１つの容器が回転させられるときに、接触した状態を維持するように構成される、請求項１８に記載のカートリッジ。
【請求項２０】
前記第１の平坦表面が前記回転軸に対して垂直であり、
前記第２の平坦表面が前記回転軸に対して垂直である、請求項１８または１９に記載のカートリッジ。
【請求項２１】
前記少なくとも１つの容器が前記回転軸を中心として回転するように拘束され、その結果、前記第１の平坦表面および前記第２の平坦表面が一定の距離を維持する、請求項１８、１９または２０のいずれか一項に記載のカートリッジ。
【請求項２２】
前記穿孔構造が前記回転軸に対して垂直である前記穿孔可能シールを穿孔するように構成される、請求項２から２１までのいずれか一項に記載のカートリッジ。
【請求項２３】
前記少なくとも１つの容器が、前記キャビティ内での前記カートリッジの前記回転軸を中心とした回転モーションのみを可能とするように拘束される、請求項２から２２までのいずれか一項に記載のカートリッジ。
【請求項２４】
前記少なくとも１つの容器が側壁を備え、
前記側壁が前記穿孔可能シールを備える、請求項２から２３までのいずれか一項に記載のカートリッジ。
【請求項２５】
前記穿孔可能シールおよび前記回転軸が鋭角を形成する、請求項２４に記載のカートリッジ。
【請求項２６】
請求項２から２５までのいずれか一項に記載のカートリッジを受けるように構成される自動分析器であって、
前記自動分析器が、カートリッジスピナ（２２０２）と、回転アクチュエータ（４０４）と、測定システム（２２１２）と、前記自動分析器を制御するように構成される制御装置（２２１４）とを備え、前記制御装置が
前記回転アクチュエータを使用して穿孔可能シールを開けることを目的として前記カートッジに対して少なくとも１つの容器を回転させるように（２３０２）、
前記カートリッジスピナを制御することにより流体構造を使用して生体試料を処理して処理済み生体試料とすることを目的として前記カートリッジの回転速度を制御するように（２３０４）、
少なくとも１つの流体がダクトをおよび前記流体構造の少なくとも一部分を通過させられることを目的として前記カートリッジの前記回転速度を制御するように（２３０６）、および
測定構造および前記測定システムを使用して測定を実施するように（２３０８）
構成される、
自動分析器。